(57)【要約】【課題】健常者の健康増進と、老化や病気等で同じ姿勢を続けて、関節の動きが悪くなった人のリハビリ用として、足裏のマッサージと、膝肩などの関節を大きく動かす運動ができる、構造が簡単で安価な「関節を大きく動かす足裏マッサージ器」を提供する。【解決手段】足裏をマッサージする軸１の両側に、「軸１の周長」の３倍（一例）の楕円等の、軸と同心円ではないツバ２を設ける。足裏を周長１０ｃｍの軸１に乗せて１０ｃｍ移動し、軸１とツバ２が一回転する時、「足裏と軸１との接点の移動距離」と、「床とツバ２との接点の移動距離」の比は、「軸１の周長」と「ツバ２の周長」の比と同じになる。ゆえに、軸１（マッサージ器）はツバ２を介して床の上を３０ｃｍ移動し、軸１上の足裏は床に対して、１０＋３０＝４０（ｃｍ）移動する為、従来品より膝等の関節を大きく動かす事ができる。また、ツバ２が楕円等である為、転がって使用者から遠くに離れる事を防止できる。【選択図】図１
2010088839.tif 000002
【特許請求の範囲】
【請求項１】
多数の突起がある軸の両側に、楕円や多角形の角をまるくした形や円などのツバを、軸の中心からツバの外周までの長さに差が付くように設け、ツバの周囲にゴム輪を設けることを特徴とする、関節を大きく動かす足裏マッサージ器。
【請求項２】
ツバを軸の端に、着脱できるように組み込むことを特徴とする、請求項１に記載の関節を大きく動かす足裏マッサージ器。
【請求項３】
ツバとツバの周囲に設けるゴム輪とが、一体であることを特徴とする、請求項１または、請求項２に記載の、関節を大きく動かす足裏マッサージ器。
【請求項４】
軸に突起片を取付けて、多数の突起がある軸を構成することを特徴とする、請求項１または、請求項２または、請求項３に記載の、関節を大きく動かす足裏マッサージ器。
【請求項５】
ツバの一部をくりぬく、一部を欠く、一部に重りを取付けることを特徴とする、請求項１または、請求項２または、請求項３または、請求項４に記載の、関節を大きく動かす足裏マッサージ器。
【発明の詳細な説明】
【技術分野】
【０００１】  この発明は足裏をマッサージする器具に関するものである。
【背景技術】
【０００２】  足裏マッサージ器具は色々な形状の物が有り、使用方法から大別すると、足を上下に動かして足踏みをする物と、マッサージ器具の軸や軸に通した輪の上に足を乗せて、足を前後に動かして、軸や輪を転がすようにする物になる。軸の両端に車輪を付けて、中程に足裏を乗せて転がす物が、特許の先願にある。
【特許文献１】特開２００１−０７０３８６号公報
【０００３】
【発明の開示】
【発明が解決しようとする課題】
【０００４】  足を上下に動かして足踏みをする足裏マッサージ器具は、膝の関節の動作角度が小さい。ももを高く上げて足踏みをすると、動作角度は大きくなるが、マッサージ回数が多くなると疲れる為、体力のない人は回数を多く出来ない。【０００５】  足を前後に動かす足裏マッサージ器具で、マッサージ器具が床と一定の位置を保ったまま足裏をマッサージする、軸が一つの物は、足裏を動かした長さしか、床と足裏の位置がずれない為、膝の関節の動作角度が小さくなる。また、ソロバンのように、軸や軸に通した輪が多い多軸品は、足を乗せる部分の長さが長い為、足裏がマッサージ器具から外れない状態が長くなり、「足を乗せる部分の長さ」＋「最大で足裏の長さ」だけ、床に対して足裏を動かせるが、足裏がマッサージ器具に接する部分が多い為、足裏への圧力が小さくなり、マッサージの刺激が減少する。軸や輪が多いと、保管に場所を取る、製作コストが高くなるなどの欠点が有る。【０００６】  軸の両端に車輪を付けた先願は、足を乗せる部分と該車輪との径の比が１：１に近い為、足裏が、足裏と軸との接点が移動した２倍に近い長さしか、（該比が１：１の場合は足裏を動かした長さと同じだけ軸が床上を転がる為、２倍になる）床に対して移動しない為、先願は関節を動かす効果についてはふれていない。しかし、その効果はあるが少ないこと。及び、側面形状において、軸と車輪が同心円である為、転がるときに重心の上下動がなく、転がりだすとなかなか止まり難い為、使用者から遠くに離れてしまう等の欠点がある。【０００７】  本発明の課題は従来品の欠点を解消して、体力のない人が、足裏のマッサージの回数とマッサージの刺激を減少させることなく、膝の関節を大きく動かす運動ができる、構造が簡単で安価な「関節を大きく動かすマッサージ器」を提供することである。以下、本発明品と従来品を区別する為に、本発明品についてはマッサージ器と言い、従来品については上記のように、マッサージ器具と言う。
【課題を解決するための手段】
【０００８】  足裏をマッサージする突起が多数ある軸の両側にツバを設ける。ツバは楕円や多角形の角をまるめた形状や円形のツバを軸と偏心させる等、軸の中心からツバの外周までの長さに差が付くように設ける。ツバは一部をくりぬく、一部を欠く、一部に重りを付けるなどして、ツバの中心とマッサージ器の重心をずらす。ツバは軸と一体にする、または、ツバと軸を別体にして、軸にツバを止めるピン、キー、ゴム輪等を取付けて、軸とツバを同時に回転するようにすると共に、ツバを取り外して別の形状のツバに交換できるようにする。【０００９】  ツバの外周には、滑り止めと、床の保護と、防音を目的にゴムを設ける。または、ツバをゴム製にして、ツバの周囲を凹凸にする等、ツバにこれらの機能を持たせる。
【発明の効果】
【００１０】  足を軸に乗せて動かし、軸を一回転した時、「足裏と軸（含む突起）との接点の移動距離」と、「床とツバ（含むゴム輪）との接点の移動距離」の比は、「該軸の周長」と「該ツバの周長」の比と同じになる。ゆえに、比を１：３にして、周長が１０ｃｍの軸上で足裏を１０ｃｍ移動して軸を一回転すると、軸（マッサージ器）はツバを介して、足裏と同じ向きに床の上を３０ｃｍ移動する事になり、床に対して足裏は、１０＋３０＝４０（ｃｍ）移動する。足を前後に動かすと、足裏が４０ｃｍ移動する往復運動ができる。同条件で該比を１：３．５にすると、１０＋３５＝４５（ｃｍ）移動する為、特に、肩の関節を大きく動かしたい時に有効である。軸を定位置で使用すると、この条件では１０ｃｍの移動である。【００１１】  該比が１：３の場合、マッサージ器を床の一定の位置で使用する従来品に比べて４倍、床上に軸を直接置いて使用する場合に比べても２倍近く、床に対して足裏を移動できることになり、マッサージをしながら、少ない動作（疲労）で膝の関節を大きく動かす往復運動ができる。また、手をマッサージ器の軸に乗せて動かすと、肩や肘の関節を大きく動かす往復運動ができる。また、比に相当する３倍早い足の動作が疲労感なく、得られる。【００１２】  図６で補足説明する。図表は周長が１０ｃｍの軸５１の上に足５３を乗せ、１０ｃｍ移動して、軸５１を一回転する時に、マッサージ器の周長比（１：３と１：１）の違いによる、足裏と軸５１との接点の移動を比較するものである。周長比は軸５１（含、突起）：ツバ５２（含、ゴム輪）を示す。点Ａ接点５５は、足裏を軸に乗せて動かす前の、足裏と軸との接点。点Ｂ接点５６は、足裏を軸に乗せて動かした後の、足裏と軸との接点を示す。【００１３】  図６では、表と組合せ易くする為に、突起とゴム輪を省略している。軸５１とツバ５２が同心円の場合、足裏と軸５１との接点は上下動が「０」であり、該接点は直線的に移動するが、同心円以外の場合は上下動をする。該接点は上下動の幅に応じて、「曲線Ｓ−Ｓ」５４に示すように接点が移動し、移動の量（長さ）と質が変化する。注）周長比１：１は実質的には軸５１を床上で直接転がすに等しい状態である。【００１４】  また、ツバが楕円等であることと、ツバの一部をくりぬく、一部を重くする等で、マッサージ器を転がり難くして、使用者から、遠くに離れてしまうのを防止する効果がある。この他、前述の課題であげた従来品の欠点を同時に解消している。
【発明を実施するための最良の形態】
【００１５】  図１で説明する。軸１とツバ２が別体で、ツバ２を別の形状の物に交換（足の動作を変える）または、分解して保管できる例の一つである。軸１は丸パイプの中程に足裏をマッサージする多数の突起１ａを設け、その両側には、ピン穴１ｂを設ける。ツバ２は周長が軸１の周長の３、５倍位ある楕円にして外周には溝２ａを設け、該溝２ａにゴム輪３を取付ける。また、ツバ２に軸１を挿入するあな２ｂと、ツバ２の回り止め穴２ｃを設ける。【００１６】  ゴム輪小４を軸１の端よりの突起１ａを超える所まで入れる。ツバ２を軸１の突起１ａに接する位置まで挿入する。Ｌ形ピン５の短い辺の先端をツバ２の方に向けて、長い方の辺をピン穴１ｂに通し、該先端をツバ２の回り止め穴２ｃに合わせて、ツバ２をＬ形ピン５の方にずらす。ゴム輪小４をツバ２と突起１ａの間にずらしてツバ２の位置を決める。【００１７】  図１の楕円のツバ２を別形状の物と、交換する場合は、上記と逆の手順で、ゴム輪小４とツバ２を戻してから、Ｌ形ピン５を抜いて、ツバ２を別形状の物と入れ替えて、再び、Ｌ形ピン５を通し、ツバ２をＬ形ピン５の方にずらし、ゴム輪小４をツバ２と突起１ａの間にずらして取付ける。【００１８】  足を軸１に乗せて、前後に動かすと、膝の関節を大きく動かす往復運動と足裏マッサージが同時にできる。また、軸１に手を乗せて前後に動かすと、肩、肘の関節を大きく動かす往復運動ができる。この使用方法は、以下の実施例についても、同じである為、以下の実施例での記述は省略する。また、図は細部をわかり易くするため、軸１の径をツバ２に比べ、２０％位拡大している。以下の図も同様である。
【第１実施例】
【００１９】  第１実施例は図２で説明する。軸１１は丸パイプの中程に足裏をマッサージする多数の突起１１ａを設け、その両側には、軸側キー溝１１ｂと、ツバ１２の位置を決めるゴム輪小１４を取付ける内側溝１１ｃ、外側溝１１ｄを設ける。
【００２０】  ツバ１２は周長が軸１の周長の３、５倍位ある長円にして外周には溝１２ａを設け、該溝１２ａにゴム輪１３を取付ける。また、ツバ１２に軸１１の端を挿入するあな１２ｂと、ツバ側キー溝１２ｃを設ける。ツバ１２の両平面に環状溝１２ｄを設け、環状溝１２ｄの一部に重り１６を取付ける。さらにツバ１２を大きくして、慣性が大きい時に、マッサージ器が止まり難くなるのを防止する効果が大きくなる。ゴム輪小１４を軸１の内側溝１１ｃに取付ける。キー１５を軸側キー溝１１ｂに入れる。これとツバ側キー溝１２ｃが合うように、軸１１の端をツバ１２のあな１２ｂに挿入する。ツバ１２が軸１１から抜けないようにゴム輪小１４を軸１１の外側溝１１ｄに取付ける。
【００２１】  この例の応用例として、軸側キー溝１ｂを無しにして、軸１とキー１５を一体にする。または、内側溝１１ｃ、外側溝１１ｄの幅を狭くしてゴム輪小１４の替わりにＣリングを使用することもできる。
【第２実施例】
【００２２】  第２実施例は図３で説明する。軸２１は丸パイプの棒の中程に、足裏をマッサージする多数の突起２１ａを設け、その両側には、軸２１とツバ２２のずれを防ぐ切り欠き部２１ｂと、ツバ２２を軸２１から抜けないようにする為の抜け止め具２４を取付ける溝ＡとＢ（２１ｃと２１ｄ）とを設けたものである。
【００２３】  ツバ２２は円形にして、外周に溝２２ａを設け、該溝２２ａにゴム輪２３を取付ける。マッサージ器全体の重心をツバ２２の中心からずらして、マッサージ器を転がり難くする為、ツバ２２の中心から外れた位置に、軸２１の切り欠き部２１ｂを挿入する「あなＡ」２２ｂ、及び、「あなＢ」と「あなＣ」（２２ｃと２２ｄ）を設ける。軸２１の切り欠き部２１ｂを、ツバ２の「あなＡ」２２ｂに合わせて、挿入する。抜け止め具２４を軸２１の溝ＡとＢ（２１ｃと２１ｄ）を利用して取付け、円形のツバ２２が軸２１から抜けないようにする。
【第３実施例】
【００２４】  第３実施例は図４で説明する。軸３１は八角の棒の中程に、ネジ３３の下穴３１ａを多数設けたもので、該下穴３１ａに突起片３４を、ネジ３３で取付けて足裏をマッサージする部分にする。軸３１の両側にピン３６を圧入するピンあな３１ｂを設ける。
【００２５】ツバ３２はゴムで製作し、八角の角をまるめた平面形状にして、その周囲は凹凸３２ａにする。また、ツバ３２には、軸３１を挿入する為のあな３２ｂと、ツバ３２の中心とマッサージ器の重心をずらして、マッサージ器を転がり難くするあなＡ、Ｂ、Ｃ（３２ｃ、３２ｄ、３２ｅ）を設ける。ゴム輪３５を軸３１のネジ３３に接するように取付け、ツバ３２を軸３１に挿入する。ピン３６をピンあな３１ｂに圧入する。図１から図４に示す、ツバの形状や軸への取付けは、それぞれ組合せをかえて実施することができる。
【第４実施例】
【００２６】  第４実施例は図５で説明する。突起４１ａが多数ある軸４１の両側に長円のツバ部４１ｂを設けて、一体で成型する。ツバ部４１ｂの周囲に溝４１ｃを設けて、ゴム輪４２を取付ける。
【図面の簡単な説明】
【００２７】
【図１】「発明を実施するための最良の形態」の正面図と右側面図の破断図
【図２】第１実施例の正面図と右側面図の破断図
【図３】第２実施例の正面図と右側面図の破断図
【図４】第３実施例の正面図と右側面図
【図５】第４実施例の正面図
【図６】効果の説明図
【符号の説明】
【００２８】      １  「発明を実施するための最良の形態］の軸
２  「発明を実施するための最良の形態」のツバ
３  「発明を実施するための最良の形態」のゴム輪
４  「発明を実施するための最良の形態」のゴム輪小
５  Ｌ形ピン
１１  第１実施例の軸
１２  第１実施例のツバ
１３  第１実施例のゴム輪
１４  第１実施例のゴム輪小
１５  キー
１６  重り
２１  第２実施例の軸
２２  第２実施例のツバ
２３  第２実施例のゴム輪
２４  抜け止め具
３１  第３実施例の軸
３２  第３実施例のツバ
３３  ネジ
３４  突起片
３５  第３実施例のゴム輪
３６  第３実施例のピン
４１  第４実施例の軸
４２  第４実施例のゴム輪
５１  効果の説明図の軸
５２  効果の説明図のツバ
５３  足
５４  曲線Ｓ−Ｓ
５５  点Ａ接点
５６  点Ｂ接点
【図１】
2010088839.tif 000003
【図２】
2010088839.tif 000004
【図３】
2010088839.tif 000005
【図４】
2010088839.tif 000006
【図５】
2010088839.tif 000007
【図６】
2010088839.tif 000008